(57)【要約】【課題】蓋部材を本体ケースに取り付けるときに常に口部カバーで本体ケースの口部を閉塞できるようにする。【解決手段】エスカッションカバー３３に、先端部に抜け止め凸部４１ａを有する取付用突起４１を突設し、口部カバー４２に取付用嵌合孔部４３を形成し、この口部カバー４２の取付用嵌合孔部４３を取付用突起４１に相対的に遊嵌状態に嵌合することで、エスカッションカバー３３に前記口部カバー４２を設ける。取付用突起４１及び取付用嵌合孔部４３を覆うシール部材４４の周縁部を、口部カバー４２の後面の周縁部に接着する。エスカッションカバー３３の本体ケース３２への取り付けにより、口部カバー４２を口部カバー収容凹部３７に収容させ且つ口部カバー４２の周縁部をシール部材４４の周縁部を介して口部３６周縁部に押し当てる。【選択図】図３
2014055409.tif 000002
【特許請求の範囲】
【請求項１】
矩形箱状をなし内部にセキュリティのための機器を備え、一壁部（３２ｂ）に前記機器の初期設定もしくはメンテナンスを外部から行うための口部（３６）を有すると共に、この口部（３６）の周囲に口部カバー収容凹部（３７）を有し、建物の壁などの設置部（Ｗ）に前記一壁部（３２ｂ）がこの設置部（Ｗ）外面から露出するように組み込まれる合成樹脂製の本体ケース（３２）と、
前記本体ケース（３２）の前記一壁部（３２ｂ）を覆い得る大きさに形成された合成樹脂製の蓋部材（３３）と、
前記本体ケース（３２）の前記一壁部（３２ｂ）に形成された係合部（３８ａ〜３８ｄ）と、
前記蓋部材（３３）に一体に形成され前記係合部（３８ａ〜３８ｄ）に係合されて前記蓋部材（３３）を前記本体ケース（３２）の前記一壁部（３２ｂ）に着脱可能に取り付けるための被係合部（４０ａ〜４０ｄ）と、
前記蓋部材（３３）において前記本体ケース（３２）の前記一壁部（３２ｂ）を閉塞する側の面である一面に突設され、先端部に横向きに突出する抜け止め凸部（４１ａ）を有する取付用突起（４１）と、
前記口部カバー収容凹部（３７）に収容可能で且つ前記口部（３６）を閉塞可能な形状の板状部材（４２ａ）から構成され、前記口部（３６）を閉塞する側の面である一面から反対側の面である他面へ貫通するように形成された取付用嵌合孔部（４３）を有し、この取付用嵌合孔部（４３）を前記取付用突起（４１）に相対的に遊嵌状態に嵌合することで前記蓋部材（３３）における前記一面に備えられた口部カバー（４２）と、
前記口部カバー（４２）の前記一面に、前記取付用突起（４１）及び前記取付用嵌合孔部（４３）を覆う形態で周縁部が当該面の周縁部に接着されたシート状の弾性変形可能なシール部材（４４）と
を備え、
前記係合部（３８ａ〜３８ｄ）に前記被係合部（４０ａ〜４０ｄ）を係合させることにより前記蓋部材（３３）を前記本体ケース（３２）の前記一壁部（３２ｂ）に取り付け、この蓋部材（３３）の本体ケース（３２）への取り付けにより、前記口部カバー（４２）を前記口部カバー収容凹部（３７）に収容させ且つ前記口部カバー（４２）の周縁部を前記シール部材（４４）の前記周縁部を介して前記口部（３６）周縁部に押し当てることを特徴とするセキュリティ装置。
【請求項２】
前記設置部（Ｗ）は前面がほぼ垂直な壁であり、
前記本体ケース（３２）は、前記一壁部（３２ｂ）がほぼ垂直で前記設置部（Ｗ）の前面で露出する形態で前記設置部（Ｗ）に組み込まれ、
前記口部カバー収容凹部（３７）の下縁部を、斜面（５０）としたことを特徴とする請求項１に記載のセキュリティ装置。
【請求項３】
前記設置部（Ｗ）は前面がほぼ垂直な壁であり、
前記本体ケース（３２）は、前記一壁部（３２ｂ）がほぼ垂直で前記設置部（Ｗ）の前面で露出する形態で前記設置部（Ｗ）に組み込まれ、
前記本体ケース（３２）の一壁部（３２ｂ）の上端部には、係合部としての引掛け部（５１）が形成されていると共に、前記一壁部（３２ｂ）の下端部には係合部としての係合凹部（５２）が形成され、
前記蓋部材（３３）の上端部には前記引掛け部（５１）に引掛けられる被係合部としての被引掛け部（５３）が形成されていると共に、当該蓋部材（３３）の下端部には前記被引掛け部（５３）が前記引掛け部（５１）に引掛けられた状態で前記係合凹部（５２）に係合される被係合部としての係合凸部（５４）が形成されていることを特徴とする請求項１又は２に記載のセキュリティ装置。
【請求項４】
矩形箱状をなし内部にセキュリティのための機器を備え、一壁部（３２ｂ）に前記機器の初期設定もしくはメンテナンスを外部から行うための口部（３６）を有すると共に、この口部（３６）の周囲に口部カバー収容凹部（３７）を有し、建物の壁などの設置部（Ｗ）に前記一壁部（３２ｂ）がこの設置部（Ｗ）外面から露出するように組み込まれる合成樹脂製の本体ケース（３２）と、
前記本体ケース（３２）の前記一壁部（３２ｂ）を覆い得る大きさに形成された合成樹脂製の蓋部材（３３）と、
前記本体ケース（３２）の前記一壁部（３２ｂ）に形成された係合部（３８ａ〜３８ｄ）と、
前記蓋部材（３３）に一体に形成され前記係合部（３８ａ〜３８ｄ）に係合されて前記蓋部材（３３）を前記本体ケース（３２）の前記一壁部（３２ｂ）に着脱可能に取り付けるための被係合部（４０ａ〜４０ｄ）と、
前記蓋部材（３３）において前記本体ケース（３２）の前記一壁部（３２ｂ）を閉塞する側の面である一面に突設され、先端部に先端が丸い抜け止め凸部（５６）を突出して有する取付用突起（５５）と、
前記口部カバー収容凹部（３７）に収容可能で且つ前記口部（３６）を閉塞可能な形状の板状部材（４２ａ）から構成され、前記口部（３６）を閉塞する側の面である一面から反対側の面である他面へ貫通するように形成された取付用嵌合孔部（４３）を有し、この取付用嵌合孔部（４３）を前記取付用突起（５５）に相対的に遊嵌状態に嵌合することで前記蓋部材（３３）における前記一面に備えられた口部カバー（４２）と、
前記口部カバー（４２）の前記一面に、前記取付用突起（５５）及び前記取付用嵌合孔部（４３）を覆う形態で周縁部が当該面の周縁部に接着されたシート状の弾性変形可能なシール部材（４４）と
を備え、
前記係合部（３８ａ〜３８ｄ）に前記被係合部（４０ａ〜４０ｄ）を係合させることにより前記蓋部材（３３）を前記本体ケース（３２）の前記一壁部（３２ｂ）に取り付け、この蓋部材（３３）の本体ケース（３２）への取り付けにより、前記口部カバー（４２）を前記口部カバー収容凹部（３７）に収容させ且つ前記口部カバー（４２）の周縁部を前記シール部材（４４）の前記周縁部を介して前記口部（３６）周縁部に押し当てることを特徴とするセキュリティ装置。
【発明の詳細な説明】
【技術分野】
【０００１】
本発明はセキュリティ装置に関する。
【背景技術】
【０００２】
従来、建物の壁などに組み込まれるセキュリティ装置では、風雨に晒されることを考慮して防水性が要求され、又、人目に触れることを考慮してある程度デザイン性に優れることも要求されている。この種のセキュリティ装置の一例を図２６〜図２９に示す。図２６及び図２７に示すように、このセキュリティ装置１は、ほぼ矩形箱状の本体ケース２と、エスカッションカバー３とを備えている。前記本体ケース２は、本体部２ａを有し、この本体部２ａにおいて前壁をなす前壁部２ｂの周縁部はこの本体部２ａから張り出すフランジ状をなしている。
【０００３】
前記エスカッションカバー３は前記本体ケース２の前壁部２ｂの全体を覆う蓋部材たるものである。
さらに図２７、図２８に示すように、前記本体ケース２の前記前壁部２ｂには各種設定を行うための四角形状の口部４が形成されており、この口部４の前部周縁部には前方へ若干突出するシール当接部４ａが形成されている。又、前記口部４の周囲には、口部カバー収容凹部４ｂが形成されている。
一方、前記エスカッションカバー３の裏面には、前記口部４を閉塞するための口部カバー５が例えば両面テープなどの接着手段により取り付けられている。この口部カバー５は正面形状が四角形状をなし、この口部カバー５の裏面には枠状のシール部材６が例えば接着により取り付けられている。
【０００４】
前記本体ケース２は、前壁部２ｂを壁Ｗの外面に露出させた形態で本体部２ａを壁Ｗ内に組み込まれている。
前記エスカッションカバー３は、前記本体ケース２の前壁部２ｂに係合手段７（図２８参照）により取り付けられる。このエスカッションカバー３の取り付けにより、前記口部カバー５が前記口部カバー収容凹部４ｂ内に収容されると共に、この口部カバー５を介してシール部材６が前記シール当接部４ａに押し付けられて当該口部４を水封する。この水封により口部４内への水（雨水）の浸入を抑制する。
なお、口部カバー５を前記口部カバー収容凹部４ｂに入り込ませることで、エスカッションカバー３を本体ケース２の前壁部２ｂにほぼ隙間なく取り付け、もって意匠上の薄形化を実現している。
【０００５】
上述のように本体ケース２の前壁部２ｂを薄肉のエスカッションカバー３で覆うことで、セキュリティ装置１が薄形に見え且つ壁Ｗに溶け込む感じに見えるようにし、意匠的外観を良くしている。
なお、初期設定や保守点検のための前記口部４はセキュリティのために必要最小限の大きさに設定されており、これに伴って口部カバー５の大きさも小さく、四角形の一辺で１〜３センチ程度である。
【０００６】
又、前記口部カバー５を予めエスカッションカバー３に設けておく理由は、次にある。仮に口部カバー５を単独で本体ケース２の口部４に着脱可能に装着するようにしておくと、前記初期設定や保守点検のためにエスカッションカバー３及び口部カバー５を取り外した際に、口部カバー５はその大きさが前述したように小さいだけに落としやすく、落としてしまうと、落ちた部分が草地や土であると、小さいために見つけにくく紛失し易い。又、側溝などに落としてしまうと回収できないこともある。そこで、口部カバー５をエスカッションカバー３に設けておくことで、口部カバー５の落下や紛失を防止するようにしている。
【先行技術文献】
【特許文献】
【０００７】
【特許文献１】特開平１１−３７４５号公報
【特許文献２】特開２００５−８５５７５号公報
【発明の概要】
【発明が解決しようとする課題】
【０００８】
前述したように、口部カバー５は小さいが故に組み立て作業者にとって取り扱い難く、しかもこの口部カバー５はその裏面に予め接着剤（例えば両面テープ）が付設されているため、この口部カバー５をエスカッションカバー３の裏面に取り付ける場合、口部カバー５がエスカッションカバー３に裏面にちょっとでも触れると、そのまま張り付けてしまい、この結果、取付目標位置からずれて取り付けられるといった取付誤差が発生することがあった。
【０００９】
ちなみに、この取付誤差が仮に１ｍｍ程度と小さいものであったとしても、口部カバー５自体の大きさが小さいことから、相対的に口部カバー収容凹部４ｂに対しては大きな取付誤差となる。又、作業者にとっては、この１ｍｍ程度の取付誤差は目視によっては判断しづらいものであり、看過してしまうこともある。
上述の取付誤差が看過されてしまうと、エスカッションカバー３を本体ケース２に取り付ける場合に、図２９に示すように、口部カバー５が口部カバー収容凹部４ｂの縁部に当たって口部４のシールができないと共に、エスカッションカバー３を本体ケース２に取り付け得ない不都合が発生する。
【００１０】
本発明は上述の事情に鑑みてなされたものであり、その目的は、蓋部材を本体ケースに取り付けるときに常に口部カバーで本体ケースの口部を閉塞でき且つ口部の防水性も確保できるセキュリティ装置を提供することにある。
【課題を解決するための手段】
【００１１】
本発明は、次の点に着目してなされている。前記従来構成品では、口部カバーを蓋部材に手作業で固着する方式であるため、作業者の熟練度が低いような場合には、口部カバーが適正な位置からずれて固着されてしまう。そして、一旦固着されてしまうと、容易に剥がれないような強い固着であるため、剥がすことが困難で、無理に剥がそうとすると口部カバーが変形し、口部カバーの交換となってしまう。
【００１２】
そこで、本発明者は、上述の固着方式に代えて、口部カバーを蓋部材に対して予め若干動き得る支持構造、いわゆるフローティング構造とすることで、口部カバーを口部に対して位置調整可能とすることを考えた。このフローティング構造として参考文献を調査したところ、特許文献１や特許文献２を知り得た。特許文献１の技術では、ベースに対してばねによって対象部材をフローティングする構成としており、これを参考にして口部カバーをフローティング構造とした場合、参考図３０のような構成とすることが考えられる。つまり、エスカッションカバー１１に口部カバー１２を包囲する包囲壁１１ｈを形成し、この包囲壁１１ｈの内部に口部カバー１２をほぼＶ状のばね１３を介して上下左右方向（上下方向は矢印Ｕで示している）へ若干動き得るところのフローティング状態に設ける構成とする。ところがこの構成では、前記Ｖ状のばね１３を用いるため、上記包囲壁１１ｈの突出長さＴ１と口部カバー１２の周囲立ち上がり壁１２ａの突出長さＴ２を夫々長くしなければならず、薄型化を実現できず、この構成は採用できない。
【００１３】
一方、特許文献２ではベースに取付軸部を設け、この取付軸部に対象部材を遊嵌状態に設ける構成としており、これを参考にして口部カバーをフローティング構造とした場合、参考図３１に示すような構成とすることが考えられる。つまり、エスカッションカバー１１に突起１１ｔを設け、口部カバー１２に嵌合孔１２ｋを形成し、この嵌合孔１２ｋを突起１１ｔに嵌合することで、口部カバー１２を上下左右方向へ若干動き得るところのフローティング状態に設ける構成とする。ところが上記参考図３１の構成では、薄形化は維持できるものの、前記嵌合孔１２ｋと突起１１ｔとの間に、前記遊嵌を実現させるための隙間Ｇを設けたことで、前記口部４が、この隙間Ｇ、さらには口部カバー１２とエスカッションカバー１１との間の微小隙間、さらにエスカッションカバー１１周縁部と本体ケースの周縁部との微小隙間を通して外部と連通するため、風雨の際に水が口部内に入ってしまう不具合がある。
【００１４】
これらの点を考慮してなされた請求項１の発明では、口部カバーに形成した取付用嵌合孔部を、蓋部材に形成した取付用突起に遊嵌状態に嵌合させ、もって口部カバーを蓋部材に動き得るようにすなわち位置調整可能に取り付ける構成としたから、蓋部材に対する口部カバーの取付位置を容易に位置調整することができる。この結果、蓋部材の取り付けの際に口部カバーが口部カバー収容凹部の縁部に当たって当該蓋部材の取り付けができない場合には、口部カバーの取付位置を口部カバー収容凹部との正対位置、換言すれば口部との正対位置に位置調整するなどの対応ができ、よって、口部カバーで本体ケースの口部を確実に閉塞でき、この結果、蓋部材が本体ケースに取り付け得ない事態となることがない。
【００１５】
さらに請求項１の発明によれば、口部カバー周縁部と口部周縁部をシール部材の周縁部により水封すると共に、口部カバーの取付用嵌合孔部も当該シール部材により水封するから、口部をセキュリティ装置外部と水封状態に遮断でき、もって防水性も確実に維持できる。
又請求項１の発明によれば、口部カバーは、これに形成した取付用嵌合孔部を蓋部材に形成した取付用突起に嵌合させることで蓋部材に設ける構成であるから、つまり、フローティング用のばねを備えないでフローティング構造を実現できたから、薄形化を阻害することがない。
【００１６】
又請求項１の発明によれば、前記蓋部材を本体ケースから取り外した場合には、前記取付用突起の抜け止め凸部が口部カバーの抜け止めをするから、口部カバーを蓋部材に常に備えたままとしておくことができ、口部カバーの落下や紛失を防止できる。
さらに、請求項１の発明によれば、この取付用突起の先端部の抜け止め凸部を横向きに突出する形態としたから、蓋部材に口部カバーを取付ける場合に、抜け止め凸部の横向き先端がシール部材に突き立つことはなく、シール部材を傷つけたり破ったりすることがなく、防水性を損なうことがない。
【００１７】
又、請求項２の発明においては、セキュリティ装置を設置する設置部が、前面がほぼ垂直な壁であり、セキュリティ装置の本体ケースは、その一壁部がほぼ垂直状態で前記設置部の前面で露出する形態で前記設置部に組み込まれ、口部カバー収容凹部の下縁部を、斜面としたところに特徴を有する。
【００１８】
セキュリティ装置は建物の壁などの垂直な設置部に組み込まれることが多い。この場合本体ケースの一壁部も垂直となり、蓋部材も垂直状態となる。このようなセキュリティ装置が風雨に晒されると、蓋部材と本体ケースとの間に上部から雨水が浸入することがある。この場合、本体ケースの口部はシール部材によって水封されているから、口部内に水の浸入はないが、垂直状態といえども、口部の周囲にある口部カバー収容凹部には毛細管現象により水が留まりやすい。
【００１９】
ここで、上記請求項２の発明によれば、口部カバー収容凹部の下縁部を斜面としたから、前記口部カバー収容凹部に進入した水を前記斜面により口部カバー収容凹部の下方部へ流出させることができる。
さらに、本体ケースが設置部に垂直状態に組み込まれている状況では、本体ケースにおいて垂直状をなす一壁部に蓋部材を最初に取り付ける場合、又は保守点検時に一旦取り外した後再度取り付ける場合、この蓋部材も垂直状態での取り扱いとなるため口部カバーが自身の動き得る範囲内で自重によって下方へ移動してしまうことが多い。このような状況では、蓋部材の取り付け時に口部カバーの下部が口部カバー収容凹部の下縁部に当たって、その取り付けができなくなってしまうおそれがある。
【００２０】
この点、上記請求項２の発明によれば、上述したように、口部カバー収容凹部の下縁部を斜面としたから、作業者が口部カバーの位置を調整しなくても、蓋部材をそのまま本体ケースに取り付ければ、前記斜面に当たった口部カバーがそのまま前記斜面を上方へ摺動して（斜面により上方へ案内されて）口部と正対するようになり、当該蓋部材が支障なく取り付けられると共に、口部カバーによって口部を閉塞及びシールすることができる。
【００２１】
又、請求項３の発明においては、前記設置部は前面がほぼ垂直な壁であり、セキュリティ装置の本体ケースは、その一壁部がほぼ垂直状態で前記設置部の前面で露出する形態で前記設置部に組み込まれ、前記本体ケースの一壁部の上端部には、係合部としての引掛け部が形成されていると共に、前記一壁部の下端部には係合部としての係合凹部が形成され、前記蓋部材の上端部には前記引掛け部に引掛けられる被係合部としての被引掛け部が形成されていると共に、当該蓋部材の下端部には前記被引掛け部が前記引掛け部に引掛けられた状態で前記係合凹部に係合される被係合部としての係合凸部が形成されていることを特徴とする。
【００２２】
前述したように、本体ケースが設置部に垂直状態に組み込まれている状況では、口部カバーが自重によって下方へ移動してしまって、蓋部材の取り付け時に口部カバーが口部カバー収容凹部縁部に当たって、その取り付けができなくなってしまうおそれがあるが、請求項３の発明によれば、蓋部材の取り付け構成を、上端部引掛け、下端部押し込み係合といった係合方式としているから、口部カバーが口部カバー収容凹部縁部に当たるとすれば、蓋部材の上部を引掛けた後下部を押し込むときに当たることになる。
【００２３】
この状態で蓋部材の下部をそのまま押し込めば、蓋部材の下部が必ず湾曲変形するから、この湾曲変形によって、口部カバーが上方へ持ち上げられて口部カバー収容凹部へ移動させられる。この結果、蓋部材が支障なく取り付けられると共に、口部カバーによって口部を閉塞及びシールすることができる。
【００２４】
請求項４の発明においては、請求項１における、横向きに突出する抜け止め凸部を有する取付用突起にかえて、先端部に先端が丸い抜け止め凸部を突出して有する取付用突起を蓋部材に設けている。この請求項４の発明によれば、蓋部材に口部カバーを取付ける場合に、シール部材方向に突き出る形態の抜け止め凸部が相対的にシール部材を押し込むが、この場合、抜け止め凸部の先端が丸い形状であるから、その丸み全体でシール部材を拡げるように伸長変形させることができて、シール部材を傷つけたり破ったりすることがなく、防水性を損なうことがない。この他、請求項４と同様の効果を奏する。
【図面の簡単な説明】
【００２５】
【図１】本発明の第１実施形態によるセキュリティ装置の設置状態の斜視図
【図２】本体ケースとエスカッションカバーとを分離した状態のセキュリティ装置の斜視図
【図３】設置状態でのセキュリティ装置の縦断側面図
【図４】本体ケースの正面図
【図５】係合部分の縦断側面図
【図６】エスカッションカバーの背面図
【図７】口部カバーをエスカッションカバーから分離した状態で示す部分的縦断側面図
【図８】図３のＡ−Ａ線に沿う断面で、シール部材は省略した断面図
【図９】口部カバーの背面図
【図１０】口部カバーと口部カバー収容凹部との寸法関係を示す口部カバー収容凹部部分の正面図
【図１１】取り付けの様子を示す縦断側面図
【図１２】口部カバーが口部カバー収容凹部縁部に当たった状態の縦断側面図
【図１３】位置調整の様子を示す縦断側面図
【図１４】第２実施形態を示す図３相当図
【図１５】口部カバー収容凹部部分の斜視図
【図１６】口部カバーが斜面に当たった状態の縦断側面図
【図１７】第３実施形態を示す図３相当図
【図１８】本体ケースの正面図
【図１９】図１７のＩ部分の拡大図
【図２０】図１７のＪ部分の拡大図
【図２１】エスカッションカバーの背面図
【図２２】口部カバーが口部カバー収容凹部縁部に当たった状態の縦断側面図
【図２３】第４実施形態を示す取付用突起部分の縦断側面図
【図２４】口部カバー取付前の状態を示す図
【図２５】口部カバー取り付け途中の状態を示す図
【図２６】従来例を説明するための図１相当図
【図２７】図２相当図
【図２８】図３相当図
【図２９】口部カバーが口部カバー収容凹部縁部に当たった状態の縦断側面図
【図３０】参考例を示す口部カバー部分の縦断側面図
【図３１】別の参考例を示す口部カバー部分の縦断側面図
【発明を実施するための形態】
【００２６】
以下、本発明の第１実施形態について図１〜図１３を参照して説明する。この第１実施形態のセキュリティ装置３１は、図１に示すように、建物のドア近くの前面が垂直をなす壁Ｗ（設置部に相当）に組み込まれている。このセキュリティ装置３１は、図２及び図３に示すように、本体ケース３２と、蓋部材に相当するエスカッションカバー３３とを備えている。本体ケース３２は、矩形箱状をなし、内部にセキュリティのための機器（その一部を図３に符号３４で示す）を収容している。
【００２７】
本体ケース３２は、合成樹脂製であり、上下、左右の壁部（組み込み状態で上下、左右となる壁部）を備えた本体部３２ａと、一壁部に相当する前壁部（組み込み状態で前となる壁部）３２ｂとを一体に有してなる。前記前壁部３２ｂの周縁部は本体部３２ａからフランジ状に突出し、正面形状が四角形をなしている。この前壁部３２ｂの左右方向のほぼ中間部には縦長な矩形の認証面部３５が突出する形態で設けられている。
【００２８】
前記本体ケース３２はその前壁部３２ｂがほぼ垂直状態で前記壁Ｗの前面で露出する形態で当該壁Ｗに組み込まれている。
前記認証面部３５は、図示しない非接触ＩＣカードが接触又は近接する（かざされる）と、認証ＩＤやその他の情報を読み取るためのものである。なお、この認証ＩＤやその他の情報が適正であれば、例えば前記ドアの解錠などを行うための信号を発生する。
さらに、図４に示すように、前壁部３２ｂにおいて、前記認証面部３５の右方には、前記機器３４に対する初期設定やメンテナンスなどを行うための四角形の口部３６が形成されている。この口部３６の周縁部には前方向へ突出するシール当接部３６ａが形成されている。
【００２９】
この口部３６の周囲部（シール当接部３６ａの周囲部）には、前記口部３６より若干大きな四角形をなす口部カバー収容凹部３７が形成されている。
又、図２、図４に示すように、前壁部３２ｂの上辺部寄りの２か所には、それぞれ係合部としての係合孔部３８ａ、３８ａが形成されており、同様に、右辺部寄りの２か所、下辺部寄りの２か所、左辺部寄りの２か所には、夫々係合部としての係合孔部３８ｂ、３８ｂ、３８ｃ、３８ｃ、３８ｄ、３８ｄが形成されている。
【００３０】
前記係合孔部３８ａ〜３８ｄはいずれも同じ構成であり、その構成を図５において係合孔部３８ａを代表して述べると、係合孔部３８ａには、上辺部と反対側の内壁部から上辺部方向へ突出する係止凸部３８ａ１が形成されている。同様に、図４に示すように、各係合孔部３８ｂ〜３８ｄにも、夫々各辺部と反対側の内壁部から各辺部方向へ突出する係止凸部３８ｂ１〜３８ｄ１が形成されている。
【００３１】
一方、エスカッションカバー３３は、合成樹脂製であり、図６に示すように、前記本体ケース３２の前記前壁部３２ｂを覆い得る大きさ（四角形）に形成されている。このエスカッションカバー３３の周縁部には、前記本体ケース３２の前壁部３２ｂの端を覆い得るように枠部３３ａ（図３にも図示）が形成されている。さらにこのエスカッションカバー３３の左右方向の中間部には、前記認証面部３５にほぼ隙間なく嵌合する露出用開口３９が形成されている。
【００３２】
さらに、図６に示すように、このエスカッションカバー３３の後面（前記本体ケース３２の前記前壁部３２ｂを閉塞する側の面である一面に相当）３３ｂにおいて、上辺部寄りの２か所に前記係合孔部３８ａ、３８ａに対応する被係合部としての爪部４０ａ、４０ａが形成されており、同様に、右辺部寄りの２か所、下辺部の２か所、左辺部の２か所には、夫々前記係合孔部３８ｂ、３８ｂ、３８ｃ、３８ｃ、３８ｄ、３８ｄに対応する被係合部としての爪部４０ｂ、４０ｂ、４０ｃ、４０ｃ、４０ｄ、４０ｄが形成されている。
各爪部４０ａ〜４０ｄはいずれも同じ構成であるので、その構成を爪部４０ａを代表して述べると、爪部４０ａは、図５に示すように、先端部に、上辺部と反対側へ突出する係止突起部４０ａ１を有している。同様に、他の爪部４０ｂ〜４０ｄにも、係止突起部４０ｂ１〜４０ｄ１を有している。
【００３３】
さらに、図７に示すエスカッションカバー３３の後面３３ｂにおいて、図４に示した前記口部３６の中心部Ｃ（口部カバー収容凹部３７の中心部と同じ）に対向する位置に、取付用突起４１が一体に後方へ突設されている。この取付用突起４１の先端部には横向き（エスカッションカバー３３の後面３３ｂとほぼ平行な向き）この場合上向きに突出する例えば爪状の抜け止め凸部４１ａを有する。
この取付用突起４１において、エスカッションカバー３３の後面３３ｂから前記抜け止め凸部４１ａまで胴部４１ｂの長さＬａ（図７参照）は、後述する口部カバー４２の厚みＬｂより僅かに長く設定されている。前記胴部４１ｂの断面形状は、図８に示すように四角形状をなす。
【００３４】
図３に示す口部カバー４２は、合成樹脂製であり、前記口部カバー収容凹部３７に収容可能で且つ前記口部３６を閉塞可能な形状この場合四角形（図８〜図１０参照）の板状部材４２ａから構成されている。この板状部材４２ａには前記口部３６を閉塞する側の面である一面に相当する後面４２ｂからから反対側の前面４２ｃへ貫通する取付用嵌合孔部４３を有する。又、この板状部材４２ａの周縁部には立ち上がり部４２ｄが形成されている。
【００３５】
前記取付用嵌合孔部４３の形状は、前記取付用突起４１の胴部４１ｂの断面形状である四角形と相似しこれよりも若干大きな四角形に形成されている。
又、図７に示すように、取付用突起４１の抜け止め凸部４１ａの上下幅寸法Ｈａと、前記取付用嵌合孔部４３の上下寸法Ｈｂとの関係は、ＨａがＨｂより僅かに大きく設定されていて、相対的に取付用突起４１を取付用嵌合孔部４３に強く挿入することにより抜け止め凸部４１ａを弾性変形させつつ当該取付用嵌合孔部４３に挿入させ得るようになっている。
【００３６】
さらにこの取付用嵌合孔部４３の上下寸法Ｈｂは、図８に示すように、前記取付用突起４１の胴部４１ｂの上下寸法Ｈｃより僅かに大きく形成されている。前記取付用突起４１の中心部Ｄを基準として上下に夫々Ｇｙ（Ｇｙ＝（Ｈｂ−Ｈｃ）／２）の隙間がある。
又、この取付用嵌合孔部４３の左右寸法Ｗｂも、前記取付用突起４１の左右寸法Ｗａより僅かに大きく（挿通し得る程度に）形成されている。前記取付用突起４１の中心部Ｄを基準として左右に夫々Ｇｘ（Ｇｘ＝（Ｗｂ−Ｗａ）／２）の隙間がある。
【００３７】
図３に示すように、前記口部カバー４２の後面４２ｂには、この口部カバー４２の板状部材４２ａとほぼ同じ大きさ及び形状のシート状の弾性変形可能なシール部材４４が装着されている。つまり、このシール部材４４は、図９に示すように、前記取付用嵌合孔部４３を覆う形態で、当該シール部材４４の裏面のうち周縁部４４ａ（図９の斜線で示す部分）のみが口部カバー４２の後面４２ｂの周縁部に接着されている。このシール部材４４は弾力性を有する発泡（独立気泡）性樹脂からなる。
【００３８】
前記口部カバー４２は、取付用嵌合孔部４３を前記取付用突起４１に相対的に遊嵌状態に挿入嵌合することによりエスカッションカバー３３の後面３３ｂに設けられている。この挿入の際には、当該抜け止め凸部４１ａが弾性変形し、取付用嵌合孔部４３を通過後に弾性復帰し、この結果、口部カバー４２は取付用突起４１によって抜け止め状態にエスカッションカバー３３に備えられる。又、この挿入の際にはシール部材４４が前記取付用突起４１に押されて若干弾性変形（伸長変形）する。このとき、この取付用突起４１の抜け止め凸部４１ａが横向き（上向き）をなしているから、その先端がシール部材４４に突き立つことはなく、当たる部分は取付用突起４１の先端部の平坦部であり、これにより、シール部材４４が傷ついたり破られたりすることはない。
【００３９】
口部カバー４２の上述した組み付け状態では、前記口部カバー４２は、前述した隙間Ｇｘ、Ｇｙ（図８参照）によりエスカッションカバー３３に対して動き可能なフローティング構造となっており、つまり上下左右に位置調整可能である。
口部カバー４２の調整代である上記隙間Ｇｘ、Ｇｙは大き過ぎると、口部３６に対するずれ量が大きくなって、調整に手間取ってしまう。かといって過度に小さくすると口部カバー４２との位置ずれを調整できなくなって、調整の意味をなさなくなるため、次のように設定している。
【００４０】
今、図４に示すように、本体ケース３２の前壁部３２ｂにおいて基準線Ｙａからの口部３６の中心部ＣのＹ方向寸法を符号Ｌｙとし、同じく、前壁部３２ｂにおいて基準線Ｘａからの口部３６の中心部ＣまでのＸ方向寸法を符号Ｌｘとする。なお、前記基準線Ｙａは、図５に示すように、本体ケース３２のＹ方向取付基準の一つである係合孔部３８ａ、３８ａの各係止凸部３８ａ１上端を結ぶ仮想線とし、前記基準線Ｘａは、本体ケース３２のＸ方向取付基準の一つである係合孔部３８ｂ、３８ｂの各係止凸部３８ｂ１右端を結ぶ仮想線とする。
【００４１】
又、図６に示すように、エスカッションカバー３３において基準線Ｙｂから取付用突起４１の基端部中心部ＤまでのＹ方向寸法は符号Ｍｙとし、同じくエスカッションカバー３３において基準線Ｘｂから取付用突起４１の基端部中心部ＤまでのＸ方向寸法は符号Ｍｘとする。なお、前記基準線Ｙｂは、図５に示すように、Ｙ方向取付基準の一つである爪部４０ａ、４０ａの根元部における係止突起部４０ａ１側の端部を結ぶ仮想線とし、前記基準線ＸｂはＸ方向取付基準の一つである爪部４０ｂ、４０ｂの根元部における係止突起部４０ｂ１側の端部を結ぶ仮想線とする。
【００４２】
前記Ｍｘと前記Ｌｘは設計上、同じ寸法設定され、又前記Ｍｙと前記Ｌｘも設計上同じに設定されている。
この結果、設計上は、エスカッションカバー３３を本体ケース３２に取り付けた時、エスカッションカバー３３における取付用突起４１の中心部Ｄは、本体ケース３２における口部３６の中心部Ｃと合致する。
【００４３】
ここで、本体ケース３２、エスカッションカバー３３はいずれも合成樹脂製であるから、成形型の僅かな寸法誤差や合成樹脂の熱収縮による僅かな成形誤差が見られる。この実施形態におけるセキュリティ装置３１は、その本体ケース３２の大きさが一辺で５ｃｍ〜１５ｃｍ程度と小さいため、樹脂成形時の熱収縮や肉ひけによる上記成形誤差、例えば前記Ｘ方向寸法Ｌｘ、Ｍｘの成形誤差（これをαｘとする）及びＹ方向寸法Ｌｙ、Ｍｙについての成形誤差（これをαｙとする）は最大で±０．１ｍｍ程度である。
【００４４】
従って、本体ケース３２における口部３６の中心部Ｃと、エスカッションカバー３３における取付用突起４１の中心部Ｄとの最大寸法誤差は、Ｘ方向で±２αｘ（±０．２ｍｍ）、Ｙ方向で±２αｙ（±０．２ｍｍ）となる。これを考慮し、前記取付用嵌合孔部４３と前記取付用突起４１の胴部４１ｂとの上下方向の両側の各隙間Ｇｙ、及び左右方向の両側の各隙間Ｇｘは、夫々０．２ｍｍ以上の数値例えば０．３ｍｍ程度にすると良い。
【００４５】
そして、図８に示すように、前記取付用突起４１の胴部４１ｂの断面形状が四角形（非円形）をなし、且つ前記取付用嵌合孔部４３の形状も、上記胴部４１ｂより僅かに大きな相似形の四角形（非円形）をなすから、口部カバー４２は、胴部４１ｂの周り方向に若干傾くことはあるが回転することはなく、上下左右に若干動き得るものであり、いわゆる回転不能状態のフローティング構造となっている。このフローティングの可動量は前記取付用突起４１の中心部Ｄを基準にして上下左右で各０．３ｍｍであるので、本体ケース３２及びエスカッションカバー３３の成形誤差にも十分対応可能なフローティング構造となっている。
【００４６】
又、前記口部カバー収容凹部３７は前述したように薄形化のための口部カバー４２収容用であるが、さらに、口部カバー４２を口部３６に対して適正に閉塞させるための位置規制の機能も有する。
つまり、口部カバー４２が口部カバー収容凹部３７に入りさえすれば、多少ずれても、この口部カバー４２のシール部材４４とシール当接部３６ａとが必ず当接可能となるように各部の寸法が設定されている。例えば、図１０に示すように、口部カバー収容凹部３７に対する口部カバー４２の最大隙間（口部カバー４２の可動領域）をＧβ（縦方向及び横方向とも同じとする）とし、シール部材４４端からシール当接部３６ａ外端までの寸法をＳβとしたとき、Ｇβ＜Ｓβとすることで、口部カバー収容凹部３７内で口部カバー４２がどの位置であっても、シール部材４４がシール当接部３６ａ突出端の全体に当接可能となっている。
【００４７】
従って、エスカッションカバー３３の取り付け時に口部カバー４２が口部カバー収容凹部３７に入りさえすれば、後はエスカッションカバー３３の取り付けに伴って口部カバー４２が口部３６方向へ押し込められることで、必然的に口部３６が口部カバー４２で閉塞され、且つシール部材４４の周縁部４４ａがシール当接部３６ａに圧接されるようになっている。
【００４８】
さて、エスカッションカバー３３を本体ケース３２に取り付ける場合について説明する。エスカッションカバー３３の前記爪部４０ａ〜４０ｄの全てを本体ケース３２の係合孔部３８ａ〜３８ｄの全てに挿入係合させることにより、前記本体ケース３２の前記前壁部３２ｂへのエスカッションカバー３３の取り付け完了となるが、一般的には、全ての爪部４０ａ〜４０ｄを同時に挿入させることはなく、上側、下側、右側、左側のいずれかの爪部を対応する係合孔部に係合させ、順次、残る爪部を対応する係合孔部に係合させることを行う。
【００４９】
この場合に、図１１に示すように、エスカッションカバー３３における口部カバー４２が、本体ケース３２の口部３６に対して収容可能な正対位置にあれば、口部カバー４２が口部カバー収容凹部３７の縁部に当たることがなくて、エスカッションカバー３３の爪部４０ａ、４０ａ〜４０ｄ、４０ｄの全てが本体ケース３２の係合孔部３８ａ〜３８ｄの全てに挿入係合され、エスカッションカバー３３が本体ケース３２の前壁部３２ｂに取り付けられる（図３参照）。なお、係合孔部３８ａ〜３８ｄへの爪部４０ａ〜４０ｄの挿入係合は、爪部４０ａ〜４０ｄ自身の弾性変形又はエスカッションカバー３３の僅かな可撓変形によりなされる。
【００５０】
そして、この取り付けにより、図３に示すように、前記口部カバー４２が前記口部カバー収容凹部３７に収容され、且つ当該口部カバー４２の周縁部が前記シール部材４４の周縁部を前記口部３６のシール当接部３６ａに押し当てる。これにより口部３６の水封が図られる。
一方、エスカッションカバー３３に対して口部カバー４２が取り付けられた際に適正位置に対して位置ずれして取り付けられた場合には、作業者が最初にエスカッションカバー３３の上側、下側、左側、右側のいずれか爪部を相手の係合孔部に係合したものの、口部カバー４２が口部カバー収容凹部３７縁部に当たって、残る爪部の挿入係合ができない。
【００５１】
この場合、エスカッションカバー３３を一旦取り外して、口部カバー４２をシール部材４４の上から作業者が適宜位置調整した上で、再度、エスカッションカバー３３の前記爪部４０ａ〜４０ｄを本体ケース３２の係合孔部３８ａ〜３８ｄに順次挿入係合させることを試行する。ここで口部カバー４２が適正に位置調整されていると、口部カバー４２が口部カバー収容凹部３７に収容可能となるから、エスカッションカバー３３の爪部４０ａ、４０ａ〜４０ｄ、４０ｄの全てが本体ケース３２の係合孔部３８ａ〜３８ｄの全てに順次挿入係合され、エスカッションカバー３３が本体ケース３２の前壁部３２ｂに取り付けられる。
【００５２】
又、別の位置調整のやり方として次のようにしても良い。上述の図１２において、エスカッションカバー３３を一旦取り外すことはしなくても、図１３の矢印Ｑで示すように、当該エスカッションカバー３３において爪部が未挿入である下側、右側あるいは左側を何度か軽く叩くように押し込むようにしても、エスカッションカバー３３の取り付けが可能である。
【００５３】
つまり、取付用突起４１の中心部Ｄを基準とした口部カバー４２の位置ずれ量は、上下左右に０．３ｍｍ程度と小さく、当然、口部カバー収容凹部３７縁部に対する口部カバー４２の当たり代も小さい。そこで、エスカッションカバー３３の未挿入の爪部側を矢印Ｑで示すように何度か軽く叩くように押し込むと、その都度エスカッションカバー３３が図１３の二点鎖線のように弾性的に湾曲変形することで、口部カバー４２が取付用嵌合孔部４３中央方向（口部カバー４２自身が動き得る隙間方向）へ微動して上記当たり代が無くなり、これによって口部カバー収容凹部３７に嵌まり込むようになる。この結果、エスカッションカバー３３の爪部４０ａ、４０ａ〜４０ｄ、４０ｄの全てが本体ケース３２の係合孔部３８ａ〜３８ｄの全てに順次挿入係合され、エスカッションカバー３３が本体ケース３２の前壁部３２ｂに取り付けられる。
【００５４】
又、前述したエスカッションカバー３３の取り付け時に、前記露出用開口３９が相対的に前記認証面部３５に嵌り込み、認証面部３５がエスカッションカバー３３から露出する。
さらに又、セキュリティ装置３１の設置後、保守点検のためにエスカッションカバー３３を一旦外す場合、前記口部カバー４２は取付用突起４１により抜け止めされているから、口部カバー４２がエスカッションカバー３３から離脱することはない。
【００５５】
このような本実施形態によれば、口部カバー４２に形成した取付用嵌合孔部４３を、エスカッションカバー３３に形成した取付用突起４１に遊嵌状態に嵌合させ、もって口部カバー４２をエスカッションカバー３３に位置調整可能に動き得るように取り付けたから、エスカッションカバー３３に対する口部カバー４２の取付位置を容易に位置調整することができる。この結果、エスカッションカバー３３の取り付けの際に口部カバー４２が口部カバー収容凹部３７縁部に当たって当該エスカッションカバー３３の取り付けができない場合には、口部カバー４２の取付位置を口部カバー収容凹部３７と正対する位置、換言すれば口部３６と正対する位置に位置調整することで、本体ケース３２の口部３６を口部カバー４２にて正常に閉塞した状態にエスカッションカバー３３を本体ケース３２に取り付け得る。
【００５６】
さらにこの実施形態によれば、口部カバー４２周縁部と口部３６周縁部（シール当接部３６ａ）をシール部材４４の周縁部により水封すると共に、口部カバー４２の取付用嵌合孔部４３も当該シール部材４４により水封するから、口部３６をセキュリティ装置３１外部と水封状態に遮断でき、もって防水性も確実に維持できる。
又本実施形態によれば、口部カバー４２は、これに形成した取付用嵌合孔部４３をエスカッションカバー３３に形成した取付用突起４１に嵌合させることでエスカッションカバー３３に設ける構成であるから、つまり、フローティング用のばねを備えないでフローティング構造を実現できたから、薄形化を阻害することがない。
【００５７】
又本実施形態によれば、前記エスカッションカバー３３を本体ケース３２から取り外した場合には、前記取付用突起４１の抜け止め凸部４１ａが口部カバー４２を抜け止めするから、口部カバー４２をエスカッションカバー３３に備えたままとしておくことができ、口部カバー４２の落下や紛失を防止できる。
【００５８】
又、本実施形態によれば、この取付用突起４１の先端部の抜け止め凸部４１ａを横向きこの場合上向きに突出する形態としたから、口部カバー４２を取付用突起４１に嵌合させて取付ける場合に、その先端がシール部材４４に突き立つことはなく、当たる部分は取付用突起４１の先端部の平坦部であり、これにより、シール部材４４が傷ついたり破られたりすることはない。
【００５９】
次に第２実施形態について図１４〜図１６を参照して説明する。この第２実施形態においては、口部カバー収容凹部３７の下縁部を斜面５０とした点が第１実施形態と異なる。
垂直な壁Ｗに組み込まれたセキュリティ装置３１が風雨に晒されると、エスカッションカバー３３と本体ケース３２との間に上部から雨水が浸入することがある。この場合、本体ケース３２の口部３６はシール部材４４によって水封されているから、口部３６内に水の浸入はないが、垂直状態といえども、口部３６の周囲にある口部カバー収容凹部３７に、水が流れ出やすい箇所がない場合だと毛細管現象により水が留まりやすい。
【００６０】
この点、この第２実施形態によれば、口部カバー収容凹部３７の下縁部が斜面５０により形成されているから、口部カバー収容凹部３７に進入し流下する水を、口部カバー収容凹部３７の下端である前記斜面５０で口部カバー収容凹部３７外に流出させることができ、もって、口部カバー収容凹部３７に水が溜まらないようにできる。
【００６１】
又、前述したように本体ケース３２を垂直な壁Ｗに設置した構造であると、この本体ケース３２において垂直状をなす前壁部３２ｂにエスカッションカバー３３を最初に取り付ける場合、又は、保守点検時に一旦取り外した後再度取り付ける場合、このエスカッションカバー３３も垂直状態での取り扱いとなるため口部カバーが自重によって下方へ移動してしまうといった特有の状況が考えられる。このような状況では、エスカッションカバー３３の取り付け時に口部カバー４２が口部カバー収容凹部３７の下縁部に当たって、その取り付けができなくなってしまうおそれがある。
【００６２】
この点、上記第２実施形態によれば、上述したように、口部カバー収容凹部３７の下縁部を斜面５０としたから、作業者が口部カバー４２の位置を調整しなくても、エスカッションカバー３３をそのまま本体ケース３２に取り付ければ、前記斜面５０に当たった口部カバー４２がそのまま前記斜面５０を上方へ摺動して（斜面５０により上方へ案内されて）口部カバー収容凹部３７ひいては口部３６と正対するようになり、当該エスカッションカバー３３が支障なく取り付けられると共に、口部カバー４２によって口部３６を閉塞及びシールすることができる。
【００６３】
又、図１７ないし図２２は第３実施形態を示しており、この第３実施形態では、エスカッションカバー３３の取り付け構成（係合構成）が第１実施形態と異なる。つまり、図１７ないし図２０に示すように、本体ケース３２の前壁部３２ｂの上端部には、係合部としての引掛け部５１が形成され、前記本体ケース３２の下端部には、係合部として係合凹部５２が形成されている。
【００６４】
又、エスカッションカバー３３の上端部には前記引掛け部５１に引掛けられる被係合部としての被引掛け部５３が形成され、前記エスカッションカバー３３の下端部には、前記被引掛け部５３が前記引掛け部５１に引掛けられた状態で、当該エスカッションカバー３３の下端部側を前記本体ケース３２の前壁部３２ｂへ押圧することにより前記係合凹部５２に係合される被係合部としての係合凸部５４が形成されている。
【００６５】
エスカッションカバー３３を本体ケース３２の前壁部３２ｂに取り付けるには、エスカッションカバー３３の被引掛け部５３を本体ケース３２の引掛け部５１に上方から引掛けて係合させ、この引掛け部分を中心としてエスカッションカバー３３の下端部側を本体ケース３２の前壁部３２ｂ側へ押圧する。このとき、口部カバー４２が口部カバー収容凹部３７に対して適正位置にあれば、口部カバー４２の口部カバー収容凹部３７への収容が許容されて、エスカッションカバー３３の係合凸部５４が係合凹部５２に係合される（図１７参照）。
【００６６】
上述したエスカッションカバー３３の取り付け構成（上端部を引掛け、下端部を押し込むといった構成）によれば、垂直状をなす本体ケース３２に対して、エスカッションカバー３３を引掛けて押し込めば良いので、簡単に取り付けることができる。
又、このエスカッションカバー３３の取り付け構成によれば、特に本体ケース３２が垂直状をなす設置部Ｗに組み込まれる場合において、次に述べるように、位置ずれした口部カバー４２を口部カバー収容凹部３７に自ずと位置合わせできる効果がある。
【００６７】
前述したように、本体ケース３２が設置部Ｗに垂直状態に組み込まれている状況では、口部カバー４２の位置ずれは、自重によって下方への位置ずれとなるといった特有の状況があり、この場合、前述したように、エスカッションカバー３３の取り付け時に口部カバー４２が口部カバー収容凹部３７下縁部に当たって、その取り付けができなくなってしまうおそれがある。
【００６８】
この点、この第３実施形態によれば、エスカッションカバー３３の取り付け構成を、上端部引掛け、下端部押し込み係合といった係合方式としているから、口部カバー４２が口部カバー収容凹部３７の縁部に当たるとすれば、エスカッションカバー３３の上部を引掛けた後下部を押し込むときに当たることになる。
そこで、この状態でエスカッションカバー３３の下部をそのまま押し込めば、エスカッションカバー３３の下部が必ず図２２に示すように湾曲変形するから、この湾曲変形によって、口部カバー４２が上方へ持ち上げられて口部カバー収容凹部３７へ移動させられる。この結果、エスカッションカバー３３が支障なく取り付けられると共に、口部カバー４２によって口部３６を閉塞及びシールすることができる。
【００６９】
次に図２３〜図２５は第４実施形態を示しており、この実施形態では取付用突起５５の抜け止め凸部５６の構成が第１実施形態の取付用突起４１と異なる。すなわち、取付用突起５５は、その先端部に、先端が丸い半球形状の抜け止め凸部５６を突出して有する。この場合、抜け止め凸部５６は、エスカッションカバー３３の後面３３ｂとほぼ直角の向きで突出する取付用突起５５からそのまま真っすぐ突出している。
この抜け止め凸部５６の根元の径大部５６ａは前記取付用嵌合孔部４３より僅かに大きく、当該径大部５６ａは弾性変形することでこの取付用嵌合孔部４３を通りぬけ可能である。
【００７０】
この第４実施形態によれば、図２４の状態から、エスカッションカバー３３に口部カバー４２を取付ける場合に、図２５に示すように、シール部材４４方向に突き出る形態の抜け止め凸部５６が相対的にシール部材４４を押し込むが、この抜け止め凸部５６の先端が丸い形状であるから、シール部材４４を丸み全体で拡げるように伸長変形させることができて、このシール部材４４を傷つけたり破ったりすることがなく、防水性を損なうことがない。この他、第１実施形態と同様の効果を奏する。
【００７１】
なお、前述の第３実施形態のエスカッションカバー３３の取り付け方式において、前記斜面５０を設ける構成としても良い。
又、エスカッションカバー３３に二つ以上の前記取付用突起４１を形成すると共に、口部カバー４２にも同数の取付用嵌合孔部４３を形成することで、口部カバー４２を回転不能状態とするようにしても良く、この場合、取付用突起４１の断面形状及び取付用嵌合孔部４３の形状は非円形でなくても良い（円形であっても良い）。
【００７２】
又、セキュリティ装置としては、非接触ＩＣカードを認証するセキュリティ装置に限られず、指紋認証や、認証方式のセキュリティ装置に適用可能である。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００７３】
図面中、３１はセキュリティ装置、３２は本体ケース、３２ａは本体部、３２ｂは前壁部（一壁部）、３３はエスカッションカバー（蓋部材）、３３ｂは後面（一面）、３４は機器、３６は口部、３６ａはシール当接部、３７は口部カバー収容凹部、３８ａ〜３８ｄは係合孔部（係合部）、４０ａ〜４０ｄは爪部（被係合部）、４１は取付用突起、４１ａは抜け止め凸部、４２は口部カバー、４２ａは板部材、４２ｂは後面（一面）、４３は取付用嵌合孔部、４４はシール部材、５０は斜面、５１は引掛け部（係合部）、５２は係合凹部（係合部）、５３は被引掛け部（被係合部）、５４は係合凸部（被係合部）、５５は取付用突起、５６は抜け止め凸部を示す。
【図１】
2014055409.tif 000003
【図２】
2014055409.tif 000004
【図３】
2014055409.tif 000005
【図４】
2014055409.tif 000006
【図５】
2014055409.tif 000007
【図６】
2014055409.tif 000008
【図７】
2014055409.tif 000009
【図８】
2014055409.tif 000010
【図９】
2014055409.tif 000011
【図１０】
2014055409.tif 000012
【図１１】
2014055409.tif 000013
【図１２】
2014055409.tif 000014
【図１３】
2014055409.tif 000015
【図１４】
2014055409.tif 000016
【図１５】
2014055409.tif 000017
【図１６】
2014055409.tif 000018
【図１７】
2014055409.tif 000019
【図１８】
2014055409.tif 000020
【図１９】
2014055409.tif 000021
【図２０】
2014055409.tif 000022
【図２１】
2014055409.tif 000023
【図２２】
2014055409.tif 000024
【図２３】
2014055409.tif 000025
【図２４】
2014055409.tif 000026
【図２５】
2014055409.tif 000027
【図２６】
2014055409.tif 000028
【図２７】
2014055409.tif 000029
【図２８】
2014055409.tif 000030
【図２９】
2014055409.tif 000031
【図３０】
2014055409.tif 000032
【図３１】
2014055409.tif 000033